(57)【要約】      （修正有）【課題】ゴミ集積所で使用されるカラス・猫等の侵入を防ぎ、防風対策を施し、かつ美観に配慮したゴミ保護用カラーシートを提供する。【解決手段】絵入り、模様入り、四角形状のカラーシート１であって当該シート１の裾当初より四方周縁部２０ｃｍ前後の間隔毎に５ｍｍ前後の孔をあけその孔に外径２５ｍｍ前後のオンとメンのカシメ玉２（鋲でも良い）を設置して重りとし、カラス・猫等の侵入を防ぎ、またシートがめくれない様に防風対策を施す。これにより製作作業も容易で経済的にも安価ででき実用的である。【選択図】図１
0003177689.tif 000002
【実用新案登録請求の範囲】
【請求項１】
絵入り、模様入り、四角形状のカラーシートであって当該シートの裾当初より四方周縁部２０ｃｍ前後の間隔毎に５ｍｍ前後の孔をあけその孔に外径２５ｃｍ前後のオンとメンのカシメ玉（鋲でも良い）を設置して重りとした絵入り模様入りカラーシート。
【考案の詳細な説明】
【技術分野】
【０００１】  本考案は、絵入り模様入りカシメパンチ止め製の四角形状のカラーシートであって裾当初より四方周縁部に２０ｃｍ前後の間隔毎に５ｍｍ前後の孔をあけその孔に外径２５ｃｍ前後のオンとメンのカシメ玉（鋲でも良い）を設置し重りとしたカラーシートである。
【背景技術】
【０００２】  ゴミ集積所には、防護ネットが置かれているがカラス、猫等の侵入を防げず周辺の環境悪化が著しい。【０００３】  またシートの周縁部に沿って設けられた定置鎖シートでは製作作業が煩雑で多大な労力がかかり経済的負担も大きく実用化は難しい。
【先行技術文献】
【実用新案】
【０００４】
【実用新案文献】
実開平６−８６４８７公報
【考案の概要】
【考案が解決しようとする課題】
【０００５】  従来のゴミ集積所にある防護ネットでは、カラス、猫等の侵入を防げずそのためゴミ等が散乱し環境が悪化されている。その上、後始末にも労力がかかり日常的な負担となっている。【０００６】  また一方、定置鎖シートは製作するにあたり作業が煩雑で多大な労力がかかり経済的負担大きい。
【課題を解決しようとする手段】
【０００７】  本考案は、当該シートの裾当初より四方周縁部に２０ｃｍ前後の間隔毎に５ｍｍ前後の孔をあけ、その孔に外径２５ｃｍ前後のオンとメンのカシメ玉（鋲でも良い）を設置して重しとしカラス、猫等の侵入を防ぎまた風でシートがめくれない様に防風対策を施した。
【０００８】  シート全体でゴミ残飯等見えない様に覆いカラス、猫等の視覚を遮断し侵入を防ぐ絵入り、模様入りカラーシートで美観を提供する。
【０００９】  その上、シートとオンとメンのカシメ玉（鋲でも良い）との設置による製作のため作業が簡単で労力が軽くて済み経済的負担も少なく安価でできる。
【考案の効果】
【００１０】  上述の様に、当該シート全体で残飯等見えないように覆いカラス、猫等の視覚を遮断し、生ゴミ等あらされる事はない。また定置重りオンとメンのカシメ玉（鋲でも良い）の設置でカラス、猫等の侵入を防ぎ防風対策も施されシートがめくれる事はない。
【００１１】  また、シートとオンとメンのカシメ玉（鋲でも良い）の設置による製作のため作業が簡単で経済的負担が軽く安価ででき実用化がたやすい。
【図面の簡単な説明】
【００１２】
【図１】  当該シート裏平面図。  平面全体が四角形状のカラーシートであって、裾当初より四方周縁部２０ｃｍ前後の間隔毎に５ｍｍ前後の孔をあけその孔に外径２５ｃｍ前後のオンとメンのカシメ玉（鋲でも良い）を設置し重りとしたカラーシート。
【図２】  当該シート表斜影図。  絵入り模様入り四角形状のカラーシートで使用時は絶えずゴミ集積所周辺の環境を保持し美観を提供する。
【図３】  当該シートＡＡ´に沿う断面図。シートに外径２５ｃｍ前後のオンとメンのカシメ玉（鋲でも良い）を設置し重りとした。
【考案を実施するための形体】
【００１３】    本考案は当該シートの裾当初より四方周縁部に２０ｃｍ前後の間隔毎に５ｍｍ前後の孔をあけその孔に外径２５ｃｍ前後のオンとメンのカシメ玉（鋲でも良い）を設置し重りとした。
【実施例】
【００１４】  以下、添付図面に従って一実施例を説明する。
１は絵入り模様入り、四角形状のカラーシートであって、裾当初より四方周縁部２０ｃｍ間隔毎に５ｍｍ前後の孔をあけ、その孔に外径２５ｃｍ前後のオンとメンのカシメ玉（鋲でも良い）を設置し重しとした。
２は当該シート使用中は絶えずゴミ集積所周辺の環境を保持した絵入り模様入りのカラーシートで美観を提供する。
３は上述の様に当該シートに５ｍｍ前後の孔をあけ、その孔に外観２５ｃｍ前後のオンとメンのカシメ玉（鋲でも良い）を設置して重りとしカラス・猫等の侵入を防ぎシートがめくれない様防風対策を施した。
【符号の説明】１  絵入り、模様入り、四方形状カラーシート
２  重り外径２５ｃｍ前後のカシメ玉（鋲でも良い）
３  メンカシメ玉
４  オンカシメ玉
１´シートとカシメ玉の孔
２´重りの全体形状（シートとカシメ玉の間に座金を入れても良い）
【図１】
0003177689.tif 000003
【図２】
0003177689.tif 000004
【図３】
0003177689.tif 000005
【手続補正書】
【提出日】平成24年5月29日(2012.5.29)
【手続補正１】
【補正対象書類名】実用新案登録請求の範囲
【補正対象項目名】全文
【補正方法】変更
【補正の内容】
【実用新案登録請求の範囲】
【請求項１】
絵入り、模様入り、四角形状のカラーシートであって当該シートの裾当初より四方周縁部２０ｃｍ前後の間隔毎に５ｍｍ前後の孔をあけその孔に外径２５ｍｍ前後のオンとメンのカシメ玉（鋲でも良い）を設置して重りとした絵入り模様入りカラーシート。
【手続補正２】
【補正対象書類名】明細書
【補正対象項目名】全文
【補正方法】変更
【補正の内容】
【考案の詳細な説明】
【技術分野】
【０００１】  本考案は、絵入り模様入りカシメパンチ止め製の四角形状のカラーシートであって裾当初より四方周縁部に２０ｃｍ前後の間隔毎に５ｍｍ前後の孔をあけその孔に外径２５ｍｍ前後のオンとメンのカシメ玉（鋲でも良い）を設置し重りとしたカラーシートである。
【背景技術】
【０００２】  ゴミ集積所には、防護ネットが置かれているがカラス、猫等の侵入を防げず周辺の環境悪化が著しい。【０００３】  またシートの周縁部に沿って設けられた定置鎖シートでは製作作業が煩雑で多大な労力がかかり経済的負担も大きく実用化は難しい。
【先行技術文献】
【実用新案】
【０００４】
【実用新案文献】
実開平６−８６４８７公報
【考案の概要】
【考案が解決しようとする課題】
【０００５】  従来のゴミ集積所にある防護ネットでは、カラス、猫等の侵入を防げずそのためゴミ等が散乱し環境が悪化されている。その上、後始末にも労力がかかり日常的な負担となっている。【０００６】  また一方、定置鎖シートは製作するにあたり作業が煩雑で多大な労力がかかり経済的負担大きい。
【課題を解決しようとする手段】
【０００７】  本考案は、当該シートの裾当初より四方周縁部に２０ｃｍ前後の間隔毎に５ｍｍ前後の孔をあけ、その孔に外径２５ｍｍ前後のオンとメンのカシメ玉（鋲でも良い）を設置して重しとしカラス、猫等の侵入を防ぎまた風でシートがめくれない様に防風対策を施した。
【０００８】  シート全体でゴミ残飯等見えない様に覆いカラス、猫等の視覚を遮断し侵入を防ぐ絵入り、模様入りカラーシートで美観を提供する。
【０００９】  その上、シートとオンとメンのカシメ玉（鋲でも良い）との設置による製作のため作業が簡単で労力が軽くて済み経済的負担も少なく安価でできる。
【考案の効果】
【００１０】  上述の様に、当該シート全体で残飯等見えないように覆いカラス、猫等の視覚を遮断し、生ゴミ等あらされる事はない。また定置重りオンとメンのカシメ玉（鋲でも良い）の設置でカラス、猫等の侵入を防ぎ防風対策も施されシートがめくれる事はない。
【００１１】  また、シートとオンとメンのカシメ玉（鋲でも良い）の設置による製作のため作業が簡単で経済的負担が軽く安価ででき実用化がたやすい。
【図面の簡単な説明】
【００１２】
【図１】  当該シート裏平面図。  平面全体が四角形状のカラーシートであって、裾当初より四方周縁部２０ｃｍ前後の間隔毎に５ｍｍ前後の孔をあけその孔に外径２５ｍｍ前後のオンとメンのカシメ玉（鋲でも良い）を設置し重りとしたカラーシート。
【図２】  当該シート表斜影図。  絵入り模様入り四角形状のカラーシートで使用時は絶えずゴミ集積所周辺の環境を保持し美観を提供する。
【図３】  当該シートＡＡ´に沿う断面図。シートに外径２５ｍｍ前後のオンとメンのカシメ玉（鋲でも良い）を設置し重りとした。
【考案を実施するための形体】
【００１３】    本考案は当該シートの裾当初より四方周縁部に２０ｃｍ前後の間隔毎に５ｍｍ前後の孔をあけその孔に外径２５ｍｍ前後のオンとメンのカシメ玉（鋲でも良い）を設置し重りとした。
【実施例】
【００１４】  以下、添付図面に従って一実施例を説明する。
１は絵入り模様入り、四角形状のカラーシートであって、裾当初より四方周縁部２０ｃｍ間隔毎に５ｍｍ前後の孔をあけ、その孔に外径２５ｍｍ前後のオンとメンのカシメ玉（鋲でも良い）を設置し重しとした。
２は当該シート使用中は絶えずゴミ集積所周辺の環境を保持した絵入り模様入りのカラーシートで美観を提供する。
３は上述の様に当該シートに５ｍｍ前後の孔をあけ、その孔に外径２５ｍｍ前後のオンとメンのカシメ玉（鋲でも良い）を設置して重りとしカラス・猫等の侵入を防ぎシートがめくれない様防風対策を施した。
【符号の説明】
【００１５】１  絵入り、模様入り、四方形状カラーシート
２  重り外径２５ｍｍ前後のカシメ玉（鋲でも良い）
３  メンカシメ玉
４  オンカシメ玉
１´シートとカシメ玉の孔
２´重りの全体形状（シートとカシメ玉の間に座金を入れても良い）